(57)【要約】【課題】ユーザの視認性を満足し、多色化を可能にしつつ、消費電力を抑えることができる携帯機器を提供する。【解決手段】携帯機器は、少なくとも文字及び該文字の背景を複数の色を用いて表示する自発光型表示装置１と、周囲の照度を検出する光センサ部４と、予め設定した基準値より高い照度を光センサ部４が検出したときに自発光型表示装置１の表示輝度を上昇させるとともに上記背景の色を黒色に変換して自発光型表示装置１に表示させる制御部１６とを備えた。【選択図】          図４
2004294775.tif 000002
【特許請求の範囲】
【請求項１】
少なくとも文字及び該文字の背景を複数の色を用いて表示する自発光型表示装置と、周囲の照度を検出する光センサ部と、予め設定した基準値より高い照度を上記光センサ部が検出したときに上記自発光型表示装置の表示輝度を上昇させるとともに上記背景の色を黒色に変換して上記自発光型表示装置に表示させる制御部とを備えたことを特徴とする携帯機器。
【発明の詳細な説明】
【０００１】
【発明の属する技術分野】
この発明は、自発光型表示装置を用いて文字や画像データをディスプレイ表示する携帯機器に関する。
【０００２】
【従来の技術】
自発光型表示装置としての有機ＥＬ（Ｅｌｅｃｔｒｏｌｕｍｉｎｅｓｃｅｎｃｅ）素子を用いたディスプレイは、自発光型でありバックライトを不要とすることから薄型化・軽量化が可能であり、携帯機器の表示装置として近年注目され始めている。
【０００３】
ところで、有機ＥＬディスプレイにおいて、ある画素を色表示する場合には、色表示したい画素に対応する有機ＥＬ素子へ駆動電流を供給して有機ＥＬ素子を発光させる。一方、ある画素を黒表示する場合には、黒表示したい画素に対応する有機ＥＬ素子への駆動電流の供給をカットして有機ＥＬ素子の発光を停止させる。このように、有機ＥＬディスプレイにおいては、色表示する場合には大電流が消費される半面、黒表示する場合にはわずかな電流しか消費されない特色がある。
【０００４】
このことを利用して、有機ＥＬを表示装置とする従来の携帯機器においては、背景を黒色で、文字を白色で表示するように表示色を補正することで、ハードウェアの改造をせずに、表示の見易さをほぼ保ったまま、消費電力を低減し、二次電池の使用時間を延長している（例えば、特許文献１参照）。
【０００５】
【特許文献１】
特開２００２−１９９０７８公報（第３−５頁、第５図）
【０００６】
【発明が解決しようとする課題】
従来の携帯機器に用いられる有機ＥＬディスプレイは、反射機能がない自発光型の素子であり視野角も広く、非常に高いコントラストの表示が可能であるため、屋内等の比較的照度の低い環境下であってもコントラストが低下せず、表示品位を損ねることなくカラー表示を行うことが可能である。
【０００７】
しかし、有機ＥＬディスプレイの発光素子は自発光型の素子なので、屋外等の比較的照度の高い環境下においては、有機ＥＬディスプレイの輝度が周囲光に負けてしまい、ユーザが表示内容を視認し難くなる場合がある。これは、有機ＥＬディスプレイの輝度を高くして表示することで対策が可能である。
【０００８】
ところが、周囲が明るい場所での視認性を考慮して有機ＥＬディスプレイの輝度を高くして表示すると、輝度を上げるために駆動電流を増やすことになり消費電力が増加してしまうという問題点があった。
また、従来技術のように、消費電力を考慮して常に背景を黒色、文字を白色で表示すると、ユーザは使用できる色を制限されてしまうという問題点があった。
【０００９】
この発明は、上記のような課題を解決するためになされたもので、ユーザの視認性を満足し、多色化を可能にしつつ、消費電力を抑えることができる携帯機器を提供することを目的とするものである。
【００１０】
【課題を解決するための手段】
この発明に係る携帯機器は、少なくとも文字及び該文字の背景を複数の色を用いて表示する自発光型表示装置と、周囲の照度を検出する光センサ部と、予め設定した基準値より高い照度を上記光センサ部が検出したときに上記自発光型表示装置の表示輝度を上昇させるとともに上記背景の色を黒色に変換して上記自発光型表示装置に表示させる制御部とを備えたものである。
【００１１】
【発明の実施の形態】
実施の形態１．
図１は、この発明に係る有機ＥＬディスプレイ１を搭載した携帯機器としての携帯電話機を示す外観図である。図において、携帯電話機は、画面に表示するための情報を入力する操作キー２が配列されたキー側筐体３と、操作キー２から入力された情報を表示する有機ＥＬディスプレイ１及び周囲光の照度を検知する光センサ４が搭載されたディスプレイ側筐体５とが、ヒンジ６を介して開閉可能に連結している。
【００１２】
図２は、ディスプレイ側筐体５を図１のＡ−Ｂで切断した断面図であり、有機ＥＬディスプレイ１は基板７と接合され、フロントケース５ａとリアケース５ｂとで囲まれたディスプレイ側筐体５内部に表示面をフロントケース５ａに向けて配置される。有機ＥＬディスプレイ１の表示面と対向するウィンドウ８はその周囲を接着テープ９によってフロントケース５ａの開口を塞ぐように接合される。
【００１３】
また、図３は、ディスプレイ側筐体５の組立て分解斜視図である。図において、フロントケース５ａとリアケース５ｂはネジ１０をリアケース５ｂに設けたネジボス１１に締結することにより一体に取り付けられる。周囲の照度を検出する光センサ４は基板７に取り付けられている。フロントケース５ａに形成した孔部１２は周囲光を上記光センサ４に導く。この孔部１２には外部からゴミ、異物等がディスプレイ側筐体５内部へ侵入するのを防ぐために、透明の保護カバー１３が取り付けられている。
実施の形態１に係る携帯電話機は、以上にようなハードウエア構成からなっている。
【００１４】
次に、図４は、有機ＥＬディスプレイ１を搭載した携帯電話機の回路構成を示すブロック図である。
図において、無線部１４は、アンテナ１５を介して基地局（図示せず）と送受信する無線信号を処理し、各ブロックを制御するＣＰＵ１６に入力する。マイク１７とスピーカ１８はＣＰＵ１６に接続されており、マイク１７から入力された音声はＣＰＵ１６、無線部１４を介して音声信号としてアンテナ１５から基地局へ送信され、アンテナ１５から受信した音声信号は無線部１４、ＣＰＵ１６を介してスピーカ１８から音声として出力される。
ＥＬ表示器１９は、有機ＥＬディスプレイ１とＥＬ駆動回路２０とで構成されており、ＣＰＵ１６はＥＬ駆動回路２０に表示データを出力することで有機ＥＬディスプレイ１に所要の情報を表示させる。
光センサ回路２１は、光センサ４と増幅器２２とで構成されており、光センサ４は、図１に示すように有機ＥＬディスプレイ１と同一面かつ近傍に配置され、有機ＥＬディスプレイ１の周囲光を受光する。
【００１５】
次に、図１〜図４及びこの実施の形態１に係る携帯電話機の処理フローを示す図５に基づいて有機ＥＬディスプレイ１に表示データを表示する動作を説明する。
【００１６】
まず、光センサ回路２１は、一定時間間隔で光センサ４に入射する周囲光を受光しＳＴ（ステップ）５−１、その照度に応じた出力を増幅器２２で増幅する。増幅された出力値は、Ａ／Ｄコンバータ２３でデジタル値に変換された後、ＣＰＵ１６に入力される。ＣＰＵ１６は、メモリ２４に保存している前回の照度を前照度として保存し直し、今回入力された照度を現照度としてメモリ２４に保存するＳＴ５−２。
【００１７】
次いで、ＣＰＵ１６は、メモリ２４に保存した前照度と現照度とを比較するＳＴ５−３。
この比較結果で、メモリ２４に保存している前照度、現照度がいずれも２０００ルクス以上又はいずれも２０００ルクス未満であれば、処理を終了する。
【００１８】
次に、ＣＰＵ１６は、現照度が２０００ルクス以上か否かを判断するＳＴ５−４。
この判断結果で、現照度が２０００ルクス以上であれば、ＣＰＵ１６は、ＥＬ駆動回路２０が有機ＥＬディスプレイ１に供給する駆動電流値を上げることで、有機ＥＬディスプレイ１の光量を制御し、有機ＥＬディスプレイ１の輝度をアップするＳＴ５−５。そして、図６のように、表示する背景を黒色に変換し、さらに、表示していた文字の表示色が黒色であれば表示色を他の色に変換して有機ＥＬディスプレイ１に表示させてＳＴ５−６、処理を終了する。なお、文字の表示色は、元の色が黒色でない場合でも他の色に変換してもよい。これによって、表示画面の大部分を占める背景を黒色の表示にするので、消費電力を非常に小さくすることができる。
【００１９】
一方、ＳＴ５−４の判断結果で、現照度が２０００ルクス未満であれば、ＣＰＵ１６は、ＥＬ駆動回路２０が有機ＥＬディスプレイ１に供給する駆動電流値を下げることで、有機ＥＬディスプレイ１の光量を制御し、有機ＥＬディスプレイ１の輝度をダウンするＳＴ５−７。そして、図７のように、表示する背景と文字の表示色を元の色に戻すように変換して有機ＥＬディスプレイ１に表示させてＳＴ５−８、処理を終了する。
【００２０】
これにより、屋内のように比較的照度の低い環境下では有機ＥＬディスプレイ１の表示は視認性がよいため、低輝度で表示することにより低消費電力化を実現でき、しかも自由に色を選択して背景及び文字を表示できる。そして、屋外のように比較的照度の高い環境下では有機ＥＬディスプレイ１に表示している文字及び該文字の背景を見易くするため輝度を上げる必要があるが、背景を黒色に変換することにより消費電力を抑えることができる。
【００２１】
なお、この実施の形態１では、ＪＩＳ−Ｚ−９１１０の照度基準により屋内の上限として規定されている２０００ルクスを照度の境界としたが、他の照度を境界としてもよい。
【００２２】
また、この実施の形態１では、光センサ４で検知した照度に基づいて、有機ＥＬディスプレイ１の輝度及び表示する背景の色を変更するようにしたが、例え、光センサ４が２０００ルクスを検知していなくても、ユーザが、周囲が明るく有機ＥＬディスプレイ１に表示している文字及び該文字の背景を見難いと感じたら、操作キー２を操作することで有機ＥＬディスプレイ１の輝度をアップし、表示する背景を黒色に変更するようにしてもよい。逆に、光センサ４が２０００ルクスを検知していても、ユーザが、背景に色を表示させたいと感じたら、操作キー２を操作することで有機ＥＬディスプレイ１の輝度をダウンし、表示する背景を黒色以外に変更するようにしてもよい。
【００２３】
実施の形態２．
この発明の実施の形態２に係る携帯電話機の処理フローを示す図８に基づいて、有機ＥＬディスプレイ１に表示データを表示する動作を説明する。
【００２４】
まず、光センサ回路２１が周囲光を検知して、現照度としてメモリ２４に保存するまでの処理は実施の形態１と同様であるＳＴ８−１、ＳＴ８−２。
【００２５】
ＣＰＵ１６は、メモリ２４に保存した前照度と現照度とを比較するＳＴ８−３。
この比較結果で、メモリ２４に保存している前照度、現照度がいずれも１０００ルクス未満、２０００ルクス未満又は２０００ルクス以上であれば、処理を終了する。
【００２６】
次に、ＣＰＵ１６は、現照度が２０００ルクス以上か否かを判断するＳＴ８−４。
この判断結果で、現照度が２０００ルクス以上であれば、ＣＰＵ１６は、ＥＬ駆動回路２０が有機ＥＬディスプレイ１に供給する駆動電流値を上げることで、有機ＥＬディスプレイ１の光量を制御し、有機ＥＬディスプレイ１の輝度をアップするＳＴ８−５。そして、図６のように、表示する背景を黒色に変換し、表示していた文字の表示色が黒色であれば表示色を他の色に変換して有機ＥＬディスプレイ１に表示させてＳＴ８−６、処理を終了する。
【００２７】
次に、ＳＴ８−４の判断結果が２０００ルクス未満であった場合、ＳＴ８−７に移り、ＳＴ８−７の判断結果で現照度が１０００ルクス以上であれば、ＣＰＵ１６は、前照度が１０００ルクス未満であればＥＬ駆動回路２０が有機ＥＬディスプレイ１に供給する駆動電流値を下げ、前照度が２０００ルクス以上であればＥＬ駆動回路２０が有機ＥＬディスプレイ１に供給する駆動電流値を上げることで、有機ＥＬディスプレイ１の光量を制御し、有機ＥＬディスプレイ１の輝度をダウン又はアップするＳＴ８−８。そして、図７のように、表示する背景と文字の表示色を元の色に戻すように変換して有機ＥＬディスプレイ１に表示させてＳＴ８−９、処理を終了する。
【００２８】
ＳＴ８−７の判断結果で、現照度が１０００ルクス未満であれば、ＣＰＵ１６は、ＥＬ駆動回路２０が有機ＥＬディスプレイ１に供給する駆動電流値を下げることで、有機ＥＬディスプレイ１の光量を制御し、有機ＥＬディスプレイ１の輝度をダウンするＳＴ８−１０。そして、図７のように、表示する背景と文字の表示色を元の色に戻すように変換して有機ＥＬディスプレイ１に表示させてＳＴ８−１１、処理を終了する。
【００２９】
このように制御することで、使用する照度環境下に応じて順次有機ＥＬディスプレイ１の輝度を変化させることができるので、常に視認性がよくなり、しかも、消費電力の増加を防ぐことができる。
【００３０】
なお、この実施の形態２では、１０００ルクス及び２０００ルクスを照度の境界としているが、他の照度を境界としてもよい。また、境界を１０００ルクス及び２０００ルクスの２箇所としたが、３箇所以上設けるものとしてもよい。
【００３１】
また、上記実施の形態１及び２では、前照度及び現照度をメモリ２４に保存するようにしたが、保存せずに現照度の値のみで制御を行なうようにしてもよい。
【００３２】
【発明の効果】
以上説明したように、この発明によれば、予め設定した基準値より高い照度を光センサ部が検出したときに、文字の表示輝度を上昇させるとともに背景の色を黒色に変換して自発光型表示装置に表示させるようにしたので、ユーザの視認性を満足し、多色化を可能にしつつ、消費電力を抑えることができる効果がある。
【図面の簡単な説明】
【図１】この発明に係る有機ＥＬディスプレイ１を搭載した携帯機器としての携帯電話機を示す外観図である。
【図２】この発明に係るディスプレイ側筐体５を図３のＡ−Ｂで切断した断面図である。
【図３】この発明に係るディスプレイ側筐体５の組立て分解斜視図である。
【図４】この発明に係る有機ＥＬディスプレイ１を搭載した携帯電話機を示すブロック図である。
【図５】この発明の実施の形態１に係る携帯電話機の有機ＥＬディスプレイ１に表示する動作を示す処理フロー図である。
【図６】この発明に係る有機ＥＬディスプレイ１に表示する文字及び該文字の背景の表示例を示す図であり、背景に黒色を使用した図である。
【図７】この発明に係る有機ＥＬディスプレイ１に表示する文字及び該文字の背景の表示例を示す図であり、背景に黒色以外を使用した図である。
【図８】この発明の実施の形態２に係る携帯電話機の有機ＥＬディスプレイ１に表示する動作を示す処理フロー図である。
【符号の説明】
１  有機ＥＬディスプレイ
４  光センサ
１６  ＣＰＵ
【図１】
2004294775.tif 000003
【図２】
2004294775.tif 000004
【図３】
2004294775.tif 000005
【図４】
2004294775.tif 000006
【図５】
2004294775.tif 000007
【図６】
2004294775.tif 000008
【図７】
2004294775.tif 000009
【図８】
2004294775.tif 000010